(57)【要約】      （修正有）【課題】二次成形されたペット用玩具を提供する。【解決手段】ペット用玩具は一次成形された硬質プラスチックチャンバー１及びチャンバー１外に嵌設される二次成形された軟質材料製ジャケット２で構成され、チャンバー１は、上下の両部分を相互接合してなる中空ハウジングであり、その対向する両端に開口１１が設けられ、チャンバー１の内部において、チャンバー１の長手方向に垂直である方向に、複数のリブ１２が設けられ、全てのリブ１２にいずれも切欠き１３が設けられ、ジャケット２の両端にもそれぞれチャンバー１の開口１１に対応する開口２１が設けられる。本考案は、軟質材料と硬質材料という２種類の材料により二次成形で製造される。チャンバーは硬質プラスチック製であって中空体である。その中にリブがあり、支持及び餌供給遮断の役割を果たす。ジャケットは軟質プラスチック製であって、歯磨き部材を持つ。複数の機能を有すると共に、歯磨き及び餌供給の役割を持つ。【選択図】図２
0003212253.tif 000002
【実用新案登録請求の範囲】
【請求項１】
二次成形されたペット用玩具であって、当該ペット用玩具は、
一次成形された硬質プラスチックチャンバー及び前記チャンバー外に嵌設される二次成形された軟質材料製ジャケットで構成され、
前記チャンバーは、上下の両部分のセミシェルを相互接合してなる中空ハウジングであり、その対向する両端に開口が設けられ、
前記チャンバーの上下の両部分のセミシェル内において、その長手方向に沿って、いずれも間隔を取るように複数のリブが設けられ、全てのリブにいずれも切欠きが設けられ、
前記ジャケットの両端にもそれぞれ前記チャンバーの開口に対応する開口が設けられることを特徴とする二次成形されたペット用玩具。
【請求項２】
前記チャンバーの両端の開口に突き出るフランジがそれぞれ設けられ、前記ジャケットの両端の開口はそれぞれ前記フランジにしっかりと接続されることを特徴とする
請求項１に記載のペット用玩具。
【請求項３】
前記ジャケットの両端の開口はそれぞれ、それに対応する前記フランジの後端に位置し、前記チャンバーの両端のフランジと共に前記ペット用玩具の両端の開口を構成することを特徴とする
請求項２に記載のペット用玩具。
【請求項４】
前記ジャケット及びチャンバーの両端の開口は前記複数のリブの前記切欠きと連通して貫通通路を構成することを特徴とする
請求項１に記載のペット用玩具。
【請求項５】
前記ジャケットはシリコンゴムジャケット又は熱可塑性エラストマープラスチックジャケットであることを特徴とする
請求項１に記載のペット用玩具。
【請求項６】
前記ジャケットの表面に複数の歯磨き部材が分布していることを特徴とする
請求項１に記載のペット用玩具。
【請求項７】
前記チャンバーの上下の両部分のセミシェルはバックル又はスタッドを介して接続されて固定されることを特徴とする
請求項１に記載のペット用玩具。
【考案の詳細な説明】
【技術分野】
【０００１】
本考案は、ペット用品技術分野に関し、具体的には、二次成形されたペット用玩具に関する。
【背景技術】
【０００２】
現在、様々なペット用玩具は市販されている。機能によると、餌入れ玩具と歯磨き用玩具とに分けることができる。ペット用玩具について、１種の材料で製造され、柔らかすぎるか又は硬くすぎるものが多い。材料が硬すぎると、口当たりが悪くなり、ペットがこのような玩具を噛むことを好まない。材料が柔らかすぎると、丈夫ではなく、破損しやすい。ペットが不注意によって飲み込むと、健康及び生命を脅かす可能性もある。二次成形された玩具も市販されているが、成形技術及び金型の設計に限られて、現在、中実の硬質プラスチックに軟質プラスチックを二次射出成形してなるもの、又は中空の硬質プラスチックを軟質プラスチックの内部に装着してなるものしかない。その外部の軟質プラスチックが粘着又は強制干渉により装着されるため、製品は全体性を備えない。
【考案の概要】
【考案が解決しようとする課題】
【０００３】
本考案の目的は二次成形されたペット用玩具を提供することである。
【課題を解決するための手段】
【０００４】
本考案の目的は以下の技術的解決手段により実現される。
二次成形されたペット用玩具であって、当該ペット用玩具は、一次成形された硬質プラスチックチャンバー及び前記チャンバー外に嵌設される二次成形された軟質材料製ジャケットで構成され、前記チャンバーは、上下の両部分のセミシェルを相互接合してなる中空ハウジングであり、その対向する両端に開口が設けられ、前記チャンバーの上下の両部分のセミシェル内において、その長手方向に沿って、いずれも間隔を取るように複数のリブが設けられ、全てのリブにいずれも切欠きが設けられ、前記ジャケットの両端にもそれぞれ前記チャンバーの開口に対応する開口が設けられる。
【０００５】
好ましくは、前記チャンバーの両端の開口に突き出るフランジがそれぞれ設けられ、前記ジャケットの両端の開口はそれぞれ前記フランジにしっかりと接続される。
【０００６】
好ましくは、前記ジャケットの両端の開口はそれぞれ、それに対応する前記フランジの後端に位置し、前記チャンバーの両端のフランジと共に前記ペット用玩具の両端の開口を構成する。
【０００７】
好ましくは、前記ジャケット及びチャンバーの両端の開口は前記複数のリブの前記切欠きと連通して貫通通路を構成する。
【０００８】
好ましくは、前記ジャケットはシリコンゴムジャケット又は熱可塑性エラストマープラスチックジャケットである。
【０００９】
好ましくは、前記ジャケットの表面に複数の歯磨き部材が分布している。
【００１０】
好ましくは、前記チャンバーの上下の両部分はバックル又はスタッドを介して接続されて固定される。
【００１１】
本考案の有益な効果は以下のとおりである。
本考案は軟質材料と硬質材料という２種類の材料により二次成形で製造される。チャンバーは硬質プラスチック製であって中空体である。その中にリブがあり、支持及び餌供給遮断の役割を果たす。ジャケットは軟質プラスチック製であって、歯磨き部材を持つ。複数の機能を有すると共に、歯磨き及び餌供給の役割を持つ。また軟質と硬質材料のメリットを有する。表面が柔らかで、口当たりがよい。また内層の硬質プラスチックの役割により、軟質プラスチックを破損しにくく、耐久性が高い。また表層が軟質材料であるため、ペットに噛まれた時、破損しにくい。且つ、中空の硬質プラスチックは高い耐噛み性を有するため、餌の押し出し又は粉砕により内部が清潔しにくくなることが生じることがなく、餌が順調に転がり出ることを保証する。乾燥餌がキャビティにおいて硬い壁とぶつかるか、又は玩具が揺れ動く時に出た音声はペットの感覚器官を好適に鍛えることができ、楽しさを向上させる。
【００１２】
製品自体の機能及び構造上の革新に加えて、本考案は更に生産プロセスの点において革新を行い、思考の制限を破る。主に内層が中空体であるという点に反映する。現在、市販されている類似品は、中実のプラスチックを軟質プラスチックにより被覆してなるものである。これは本考案の重大な革新の１つである。製品の構造について、チャンバーを両部分にすると、成形及び中空化に寄与するというメリットを有する。両端に設けられる突き出るフランジは、支持及び二次成形時の封止の役割を果たすことができる。成形中において、軟質プラスチックが製品外の領域に流れることを防止する。また、内部に補強リブが設けられ、二次成形時の圧力によるチャンバーの損傷を防止する。金型について、多層支持構造を用いる。上述したチャンバー両端の突出部に加えて、中部に位置決め軸が設けられ、該軸はチャンバー全体の中心を横切り、位置決め及び支持の役割を同時に果たすことができる。
【図面の簡単な説明】
【００１３】
【図１】本考案の実施例のペット用玩具の全体構造の模式図である。
【図２】本考案の実施例のペット用玩具の断面構造の模式図である。
【図３】本考案の実施例のペット用玩具のチャンバーの分解構造の模式図である。
【図４】本考案の実施例のペット用玩具の金型成形分解構造の模式図である。
【考案を実施するための形態】
【００１４】
本考案の目的、技術的解決手段及びメリットをより明確にするために、以下に図面と実施例を組み合わせて本考案を更に詳しく説明する。ここで説明した具体的な実施例は、本考案を解釈するためのものに過ぎず、本考案を限定するものではないと理解されるべきである。
【００１５】
本実施例は二次成形されたペット用玩具を提供し、図１から図３に示すように、当該ペット用玩具はチャンバー１及びチャンバー１外に嵌設されるジャケット２で構成される。チャンバー１は硬質プラスチック製であり、上下の両部分のセミシェルで構成される中空ハウジングである。両端に開口１１がある。上下の両部分のセミシェルはバックル又はスタッドを介して接続される。チャンバー１の上下の両部分のセミシェルの内部において、その長手方向に沿って、間隔を取るように複数のリブ１２が設けられる。これらのリブは製品全体の強度を向上させるために用いられる。全てのリブ１２にいずれも切欠き１３が設けられる。前記ジャケット２は軟質材料製であり、その両端にもそれぞれ開口２１が設けられる。ジャケットの両端の開口２１とチャンバー１の両端の開口１１はそれぞれ対応するようにしっかりと接続されて、ペット用玩具全体の両端の開口を構成する。前記複数のリブ１２における切欠きの形状として、ジャケット２及びチャンバー１の両端の開口が複数のリブ１２の切欠き１３と連通して貫通通路を構成する。より具体的には、上下の両部分のセミシェル内のリブ１２は、一平面において二つずつ上下に対応してもよく、交差するように設けられるか、又は一部が対応して一部が交差するように設けられてもよい。リブ１２における切欠き１３がペット用玩具全体の両端の開口と連通することを保証できればよい。
【００１６】
図４に示すように、製造時、前記貫通通路は、成形時に位置決め軸５を配置するために用いられる。位置決め軸５は、チャンバー１の両端の開口１１を横切って、チャンバー１を金型の内部（上型６１、下型６２）に固定して、二次成形時に位置決め及び支持の役割を果たすために用いられる。また、ペット用玩具の両端の開口及びチャンバー１のハウジング内部のリブ１２の切欠き１３は、餌供給の役割を果たすこともできる。リブ１２自体は餌落下の確率を低減させ、ペットの遊び時間及び楽しさを増加させることもできる。
【００１７】
図２及び図３に示すように、該チャンバー１の両端にそれぞれフランジ１５を構成する突出部がある。該突き出るフランジ１５は、成形時に位置決め支持及び封止の役割を果たす。二次成形を完了した後、軟質プラスチック製ジャケット２は、該突き出るフランジ１５と同じ高さで接合される。該突き出るフランジ１５は、生産プロセスにおいて上記役割を果たす以外に、ペットが玩具を噛む時の口当たりを向上させることもできる。ペットにより噛まれた部分であるペット用玩具の外部において、その突出部が硬質プラスチック製であり、残りの部分がジャケット１の軟質プラスチック製であるため、ペットにより噛まれた外表面に、柔らかい口当たり及び硬い口当たりという２種類の異なる口当たりを同時に持たせることができる。
【００１８】
前記ジャケット２はシリコンゴム及びＴＰＲ等のエラストマー材料を用いることができる。成形プロセスとして、二次成形時の材料によってホットプレス成形及び射出成形を用いることができる（シリコンゴムについてホットプレス成形を用い、ＴＰＲについて射出成形を用いる）。該ジャケット２の表面に、ペットが噛む時に歯磨き及び歯を清潔に保持するという役割を果たす歯磨き部材２５が分布している。
【００１９】
前記ペット用玩具全体の形状は任意の形状であってもよい。
【符号の説明】
【００２０】
１  チャンバー、２  ジャケット、５  位置決め軸、１１  開口、１２  リブ、１３  切欠き、１５  フランジ、２１  開口、２５  歯磨き部材、６１  上型、６２  下型
【図１】
0003212253.tif 000003
【図２】
0003212253.tif 000004
【図３】
0003212253.tif 000005
【図４】
0003212253.tif 000006